(57)【要約】【課題】ソファーの形態変化の自由度を大きくでき、アーム部材の位置変更、追加が可能であり、室内への搬入が容易なソファーを提供する。【解決手段】所定の長さのシート部２ａとこのシート部２ａの長手方向に沿って立設される背もたれ部２ｂとからなるベンチ部材２と、カウチシート部２５ａとこのカウチシート部２５ａの長手方向一側のカウチ背もたれ部２５ｂとからなり、前記ベンチ部材２と組み合わせ可能なカウチ部材２５と、矩形状のコーナシート部２７ａとこのコーナーシート部２７ａの連続する２辺に設けられたコーナー背もたれ部２７ｂとからなり、前記ベンチ部材２及び前記カウチ部材２５の少なくとも一つと組み合わせ可能なコーナ部材２７と、前記ベンチ部材２の長手方向の側部及びカウチ部材２５に着脱自在に連結可能なアーム部材３とからなるソファー１である。【選択図】図１
2010233943.tif 000002
【特許請求の範囲】
【請求項１】
所定の長さのシート部（２ａ）とこのシート部（２ａ）の長手方向に沿って立設される背もたれ部（２ｂ）とからなるベンチ部材（２）と、
カウチシート部（２５ａ）とこのカウチシート部（２５ａ）の長手方向一側のカウチ背もたれ部（２５ｂ）とからなり、前記ベンチ部材（２）と組み合わせ可能なカウチ部材（２５）と、
矩形状のコーナシート部（２７ａ）とこのコーナーシート部（２７ａ）の連続する２辺に設けられたコーナー背もたれ部（２７ｂ）とからなり、前記ベンチ部材（２）及び前記カウチ部材（２５）の少なくとも一つと組み合わせ可能なコーナ部材（２７）と、
前記ベンチ部材（２）の長手方向の側部及びカウチ部材（２５）に着脱自在に連結可能なアーム部材（３）とからなることを特徴とするソファー（１）。
【請求項２】
請求項１記載のソファー（１）であって、
前記アーム部材（３）は、左アーム部材（３ａ）と、右アーム部材（３ｂ）とで形成され、左右のアーム部材（３ａ、３ｂ）はそれぞれアーム本体（３ｍ）と、このアーム本体（３ｍ）を前記ベンチ部材（２）、前記カウチ部材（２５）に連結可能な連結部材（４）とで形成されていることを特徴とするソファー（１）。
【請求項３】
請求項１または２記載のソファー（１）であって、
前記ベンチ部材（２）は、３人掛用の３Ｐベンチ（２１）と、２人掛用の２Ｐベンチ（２３）と、２．５人掛用の２．５Ｐベンチ（２２）と、１人掛けの１Ｐベンチ（２４）とからなることを特徴とするソファー（１）。
【請求項４】
請求項２または請求項３記載のソファー（１）であって、
前記左右のアーム部材（３ａ、３ｂ）は、前記アーム本体（３ｍ）内で該アーム本体（３ｍ）に前記連結部材（４）の一側が固定され、他側が前記アーム本体（３ｍ）から突出しており、該突出する突出部（４ａ）は、前記ベンチ部材（２）またはカウチ部材の（２５）連結段差部（５）にねじ止め固定されることを特徴とするソファー（１）。
【請求項５】
請求項４記載のソファー（１）であって、
前記ベンチ部材（２）またはカウチ部材（２５）の前記連結段差部（５）に嵌め込まれてベンチ部材（２）またはカウチ部材（２５）の表面と面一となるパネル（６）を備えることを特徴とするソファー（１）。
【発明の詳細な説明】
【技術分野】
【０００１】
本発明は、状況に応じて多様な形態への変更が可能なソファーに関する。
【背景技術】
【０００２】
特許文献１には、状況に応じて利用形態を変化させる従来のソファーが記載されている。このソファーは、肘掛け用のアーム部材が一体に設けられている幅２Ｌ奥行きＬの座面を有するソファー本体と、ソファー本体に座面と同じ高さの幅Ｌ奥行きＬのクッション載置面を有する足置き台と、幅Ｌ奥行きＬの第１座面クッションと、幅２Ｌ奥行きＬの第２座面クッションとを備えている。このソファーは、ソファー本体に対して足置き台を横並び状に配置するか、離して配置するかの使用状況に応じて、第１座面クッション及び第２座面クッションをソファー本体から足置き台に掛け渡すか否かを選択することにより利用形態を変化させるものである。
【先行技術文献】
【特許文献】
【０００３】
【特許文献１】特開２００７−３３０６８３号公報
【発明の概要】
【発明が解決しようとする課題】
【０００４】
しかしながら、上述したソファーでは、アーム部材がソファー本体の両側に一体に固定されているため、ソファー本体自体の長さを拡張したり、ソファー本体に別の部材を連結して形態を変化させることができず、形態変化の自由度が小さいものとなっている。また、足置き台が必須となっており、足置き台がない場合には、形態変化ができない不便さがある。さらに、アーム部材がソファー本体に一体となっており、ソファー本体からの取り外しができないため、アーム部材の位置変更、追加ができない不便さを有すると共に、アーム部材を有した嵩高の状態となるため、室内への搬入が面倒となる問題がある。
【０００５】
そこで、本発明は、足置き台に制限されることなく、ソファの形態変化の自由度を大きくでき、アーム部材の位置変更、追加が可能であり、室内への搬入が容易なソファーを提供することを目的とする。
【課題を解決するための手段】
【０００６】
請求項１記載の発明のソファーは、所定の長さのシート部とこのシート部の長手方向に沿って立設される背もたれ部とからなるベンチ部材と、カウチシート部とこのカウチシート部の長手方向一側のカウチ背もたれ部とからなり、前記ベンチ部材と組み合わせ可能なカウチ部材と、矩形状のコーナシート部とこのコーナーシート部の連続する２辺に設けられたコーナー背もたれ部とからなり、前記ベンチ部材及び前記カウチ部材の少なくとも一つと組み合わせ可能なコーナ部材と、前記ベンチ部材の長手方向の側部及びカウチ部材に着脱自在に連結可能なアーム部材とからなることを特徴とする。
【０００７】
請求項２記載の発明は、請求項１記載のソファーであって、前記アーム部材は、左アーム部材と、右アーム部材とで形成され、左右のアーム部材はそれぞれアーム本体と、このアーム本体を前記ベンチ部材、前記カウチ部材に連結可能な連結部材とで形成されていることを特徴とする。
【０００８】
請求項３記載の発明は、請求項１または２記載のソファーであって、前記ベンチ部材は、３人掛用の３Ｐベンチと、２人掛用の２Ｐベンチと、２．５人掛用の２．５Ｐベンチと、１人掛けの１Ｐベンチとからなることを特徴とする。
【０００９】
請求項４記載の発明は、請求項２または請求項３記載のソファーであって、前記左右のアーム部材は、前記アーム本体内で該アーム本体に前記連結部材の一側が固定され、他側が前記アーム本体から突出しており、該連結部材から突出する突出部は、前記ベンチ部材またはカウチ部材の連結段差部にねじ止め固定されることを特徴とするソファー。
【００１０】
請求項５記載の発明は、請求項４記載のソファーであって、前記ベンチ部材またはカウチ部材の前記連結段差部に嵌め込まれてベンチ部材またはカウチ部材の表面と面一となるパネルを備えることを特徴とする。
【発明の効果】
【００１１】
請求項１記載の発明によれば、ベンチ部材、カウチ部材のいずれもアーム部材とは別体となっており、ベンチ部材、カウチ部材及びコーナー部材の配置変更にアーム部材が邪魔となることがなく、ベンチ部材、カウチ部材、コーナー部材の配置変更の後、アーム部材を取り付けてソファとすることができる。このため、ソファの形態変化の自由度を大きくでき、アーム部材が邪魔にならないため、室内への搬入が容易となる。
【００１２】
請求項２記載の発明によれば、連結部材をベンチ部材及びカウチ部材に連結することにより、左右のアーム部材を取り付けることができる。このため、アーム部材の取り付け及び取り外しが容易であり、ベンチ部材及びカウチ部材への組み付けが簡単となる。
【００１３】
請求項３記載の発明によれば、ベンチ部材が３Ｐベンチ、２Ｐベンチ、２．５Ｐベンチ、１Ｐベンチの複数種類を備えているため、形態変化の自由度を大きくすることができる。
【００１４】
請求項４記載の発明によれば、連結部材の突出部をベンチ部材及びカウチ部材の連結段差部にねじ止めすることにより、アーム部材を簡単に取り付けることができる。また、突出部はベンチ部材及びカウチ部材の連結段差部に取り付けられるため、段状に高くなることがなく、外観が平滑状態となって違和感がない。このため、アーム部材とベンチ部材及びカウチ部材との一体感を得ることができる。
【００１５】
請求項５記載の発明によれば、ベンチ部材又はカウチ部材の連結段差部に嵌め込まれるパネルを有しており、パネルが連結段差部に嵌め込まれることにより、ベンチ部材及びカウチ部材の外観が平滑となり、違和感を生じることがない。
【図面の簡単な説明】
【００１６】
【図１】本発明の一実施形態のソファーにおけるベンチ部材と、アーム部材との連結構造を示す斜視図である。
【図２】アーム部材を連結しない場合のベンチ部材の斜視図である。
【図３】アーム部材の斜視図である。
【図４】ソファーの使用状態の側面図である。
【図５】ソファーの使用状態の正面図である。
【図６】（Ａ）〜（Ｉ）はソファーを形成するパーツの平面図である。
【図７】（Ａ）〜（Ｄ）は３Ｐベンチ部材の形態変化を示す平面図である。
【図８】（Ａ）〜（Ｄ）は２．５Ｐベンチ部材の形態変化を示す平面図である。
【図９】（Ａ）〜（Ｄ）は２Ｐベンチ部材の形態変化を示す平面図である。
【図１０】（Ａ）〜（Ｄ）は１Ｐベンチ部材の形態変化を示す平面図である。
【図１１】（Ａ）〜（Ｄ）はカウチ部材の形態変化を示す平面図である。
【図１２】（Ａ）〜（Ｉ）はソファーをコーナーセットとして用いる形態変化例を示す平面図である。
【図１３】（Ａ）〜（Ｃ）はライフスタイルに応じたソファーの形態変化例を示す。
【図１４】（Ａ）〜（Ｃ）はライフスタイルに応じたソファーの別の形態変化例を示す平面図である。
【図１５】（Ａ）〜（Ｃ）はライフスタイルに応じたソファーのさらに別の形態変化例を示す平面図である。
【発明を実施するための形態】
【００１７】
以下、本発明を図示する実施形態により、具体的に説明する。
【００１８】
図１は、本発明の一実施形態のソファー１におけるベンチ部材２と、アーム部材３との連結構造を示す斜視図、図２は、アーム部材３を連結しない場合のベンチ部材２の斜視図、図３は、アーム部材３の斜視図、図４及び図５は、ソファー１の使用状態の側面図及び正面図である。
【００１９】
図１、図２及び図４に示すように、ベンチ部材２は、着座者が着座するシート部２ａと、シート部２ａの奥側の端部で長手方向に沿って起立された背もたれ部２ｂとを有している。シート部２ａ及び背もたれ部２ｂは、着座者の数に応じて所定の長さとなるように一体に延びている。この実施形態では、１人掛け（１Ｐ）、２人掛け（３Ｐ）、２．５人掛け（２．５Ｐ）、３人掛け（３Ｐ）の長さとなるように延びるものであり、図６に示すように、３Ｐベンチ部材２１、２．５Ｐベンチ部材２２、２Ｐベンチ部材２３、１Ｐベンチ部材２４に対してこの実施形態が適用される。
【００２０】
シート部２ａの長手方向の両側部下面には、脚部２ｃが取り付けられ、脚部２ｃがフロア上に設置されることによりシート部２ａ及び背もたれ部２ｂがフロア上に支持される。
【００２１】
なお、この脚部２ｃには、ステンレス製のカバーが取り付けられる他に、伝統工芸の銅脚カバー（不図示）を取り付けることもできる。この銅脚カバーは、富山県・高岡市に伝統的に伝わる伝統的な着色（伝統的着色４種）が施されており、ソファやサイドテーブルの脚部の色を合わせることにより、個性、存在感、統一感を演出することができる。また、ステンレス製のカバーや上記銅脚カバー以外の材質によるカバーを取り付けても良い。
【００２２】
アーム部材３は、ベンチ部材２の長手方向の両側部に着脱自在に連結される。アーム部材３は、肘掛け部材となるアーム本体３ｍと、アーム本体３ｍに取り付けられた連結部材４とを備えている。連結部材４は、アーム本体３ｍの内部に設けられた不図示のアームフレームに一端が連結され、他端がアーム本体３ｍの側面から外部に抜き出されることにより突出部４ａとなっている。突出部４ａは、前後方向に長く延びる板状突出部４ｂと、板状突出部４ｂの奥側の端部から起立する起立突出部４ｃとを有したＬ字形に形成されている。かかるＬ字形状は、連結部材４の全体にかけて形成されるものである。板状突出部４ｂ及び起立突出部４ｃには、複数の固定用孔４ｄが整列状態で形成されている。
【００２３】
ベンチ部材２には、連結段差部５が形成されている。連結段差部５は、ベンチ部材２の長手方向の両側部に形成されるものであり、アーム部材３における連結部材４の突出部４ａが嵌り込むＬ字形状となっている。すなわち、連結段差部５は、連結部材４の突出部４ａの厚さと略同じ深さの溝状に形成されるものである。従って、連結部材４の突出部４ａを連結段差部５に嵌め込んだ状態では、段差のない面一の平滑状態となることができ、違和感を生じることがない。
【００２４】
連結段差部５にはシートフレームの一部が露出しており、露出した部分が連結部材４の突出部４ａを受け止める受け止め部５ａとなっている。シートフレームの受け止め部５ａは、板状突出部４ｂに対応した板状受け止め部５ｂ及び起立突出部４ｃに対応した起立受け止め部５ｃを有しており、連結部材４の突出部４ａが当接可能となっている。板状受け止め部５ｂ及び起立受け止め部５ｃには、連結部材４の固定用孔４ｄに対応した固定用ねじ孔５ｄが形成されている。
【００２５】
なお、本実施形態のソファー１では、連結部材４がＬ字形状の例を示したが、山形形状等他の形状であってもよい。また、アーム３ａ、３ｂ、ソファ１の脚部２ｃの形状が本実施形態では直方体形状として簡略してあるが、これらの形状は、種々のデザインが可能で三角形状や、丸味を帯びたもの等種々の形状が考えられる。
【００２６】
ベンチ部材２に対しアーム部材３は、左右一対が対応している。すなわち、図３に示すように、アーム部材３は左アーム部材３ａと、右アーム部材３ｂとの一対が対応するものである。左アーム部材３ａ及び右アーム部材３ｂには、連結部材４が設けられており、また、左アーム部材３ａ及び右アーム部材３ｂにおけるそれぞれのアーム本体３ｍの側面から連結部材４の突出部４ａが突出している。
【００２７】
図２は、アーム部材３を取り付けない場合のベンチ部材２を示している。アーム部材３を取り付けない場合には、パネル６が用いられる。パネル６は、ベンチ部材２の板状受け止め部５ｂに対応した長さ及び形状の第１パネル６ａと、起立受け止め部５ｃに対応した長さ及び形状の第２パネル６ｂとを有している。第１パネル６ａを板状受け止め部５ｂに当接するように嵌め込み、第２パネル６ｂを起立受け止め部５ｃに当接するように嵌め込むことによりこれらのパネル６ａ、６ｂが連結段差部５に固定される。
【００２８】
第１パネル６ａ及び第２パネル６ｂは、ベンチ部材２の両側部の連結段差部５の深さと略同じ寸法の厚さとなっている。従って、第１パネル６ａ及び第２パネル６ｂを連結段差部５に嵌め込んだ状態では、段差のない面一な平滑状態となることができ、違和感を生じることがない。
【００２９】
図４及び図５は、ソファー１の使用状態を示している。ベンチ部材２上には、クッション体７が載置される。クッション体７は、座面クッション７ａと、背もたれクッション７ｂとを有している。座面クッション７ａは、ベンチ部材２のシート部２ａの全長を覆う長さとなっており、クッション体７をベンチ部材２上に載置することにより、連結部材４や連結段差部５、パネル６がクッション体７によって覆われて隠蔽される。このため、これらが外部から見えることがなく外観が低下することがない。図４及び図５において、クッション体７上には、クッション８が設けられ、このクッション８は背もたれ部分の本体８ａと、本体８ａのクッション体７へのズレを防止するボルスタークッション８ｂとで構成されている。
【００３０】
次に、この実施形態におけるアーム部材３のベンチ部材２への連結を説明する。アーム部材３が取り付けられない状態においては、図２に示すように、第１パネル６ａ及び第２パネル６ｂがベンチ部材２の両側部の連結段差部５に嵌め込まれて固定されており、ベンチ部材２上にクッション体７が載置されることにより第１パネル６ａ、第２パネル６ｂが隠蔽される。従って、外観が劣化することなくベンチ部材２への着座が可能である。
【００３１】
ベンチ部材２に対してアーム部材３を連結する場合には、図１に示すように、板状突出部４ｂが板状受け止め部５ｂに当接し、起立突出部４ｃが起立受け止め部５ｃに当接するように連結部材４を連結段差部５に嵌め込む。そして、固定用孔４ｄ及び固定用ねじ５ｄに対して不図示のねじをねじ込んで連結部材４を受け止め部５ａに固定する。これにより、アーム部材３をベンチ部材２に取り付けることができる。アーム部材３は、ベンチ部材２の左右いずれかの側部に取り付けてもよく、左右両方の側部に取り付けてもよい。
【００３２】
図６は、以上の実施形態が適用されるソファーにおける構成部品の平面図を示し、（Ａ）は３人掛け用の３Ｐベンチ部材２１、（Ｂ）は２．５人掛け用の２．５Ｐベンチ部材２２、（Ｃ）は２人掛け用の２Ｐベンチ部材２３、（Ｄ）は１人掛け用の１Ｐベンチ部材２４である。（Ｅ）はカウチ部材２５、（Ｆ）は左アーム部材３ａ及び右アーム部材３ｂ、（Ｇ）はパネル６、（Ｈ）はコーナー部材２７、（Ｉ）は足置き台（オットマン）２８である。
【００３３】
３Ｐベンチ部材２１、２．５Ｐベンチ部材２２、２Ｐベンチ部材２３、１Ｐベンチ部材２４はいずれもシート部２ａ、背もたれ部２ｂを有している。また、３Ｐベンチ部材２１、２．５Ｐベンチ部材２２、２Ｐベンチ部材２３、１Ｐベンチ部材２４は、いずれも長手方向の両側部に連結段差部５を有しており、連結段差部５を介してアーム部材３の連結及び連結解除が可能となっている。
【００３４】
カウチ部材２５は、着座部となるカウチシート部２５ａと、カウチシート部２５ａの奥側の端部で長手方向に沿って起立するカウチ背もたれ部２５ｂとを有している。アーム部材３は、カウチ部材２５に対しても着脱自在に連結可能となっている。このため、カウチ部材２５のカウチシート部２５ａの両側部には、図１及び図２に示す連結段差部５と同様の連結段差部５が形成されており、連結段差部５にアーム部材３の連結部材４を嵌め込んでねじ締結することによりアーム部材３の連結が可能となっている。
【００３５】
カウチ部材２５に対するアーム部材３の連結は、図１１に示すように、カウチシート部２５ａにおけるカウチ背もたれ部２５ｂ側に対して行われる。カウチ部材２５に対して、アーム部材３を連結しない場合には、図２と同様に、カウチ部材２５の連結段差部５に対してパネル６（第１パネル６ａ、第２パネル６ｂ）が嵌め込まれて固定される。かかるカウチ部材２５に対しては、ベンチ部材２と同様にクッション体７が上部に載置されるものであり、これにより、アーム部材３の連結部材４やパネル６が外部から見えることがなく、外観の低下を防止することができる。
【００３６】
コーナー部材２７は、着座部となる平面矩形状のコーナーシート部２７ｂと、コーナー背もたれ部２７ｂとを有している。コーナー背もたれ部２７ｂは、矩形状のコーナーシート部２７ｂにおける連続する２辺に設けられている。コーナー部材２７は、３Ｐベンチ部材２１、２．５Ｐベンチ部材２２、２Ｐベンチ部材２３、１Ｐベンチ部材２４及びカウチ部材２５の少なくとも一つと組み合わせられることによりソファー１のコーナー部を形成する。
【００３７】
図７〜図１１は、３Ｐベンチ部材２１、２．５Ｐベンチ部材２２、２Ｐベンチ部材２３、１Ｐベンチ部材２４及びカウチ部材２５に対するアーム部材３ａ、３ｂの連結態様をそれぞれ示す。
【００３８】
図７（Ａ）は、３Ｐベンチ部材２１の左右両側部にアーム部材３ａ、３ｂを連結した状態、（Ｂ）は、右側部に右アーム部材３ｂを連結した状態、（Ｃ）は、左側部に左アーム部材３ａを連結した状態、（Ｄ）は、アーム部材を連結しない状態をそれぞれ示す。図８（Ａ）は、２．５Ｐベンチ部材２２の左右両側部にアーム部材３ａ、３ｂを連結した状態、（Ｂ）は、右側部に右アーム部材３ｂを連結した状態、（Ｃ）は、左側部に左アーム部材３ａを連結した状態、（Ｄ）は、アーム部材を連結しない状態をそれぞれ示す。図９（Ａ）は、２Ｐベンチ部材２３の左右両側部にアーム部材３ａ、３ｂを連結した状態、（Ｂ）は、右側部に右アーム部材３ｂを連結した状態、（Ｃ）は、左側部に左アーム部材３ａを連結した状態、（Ｄ）は、アーム部材を連結しない状態をそれぞれ示す。図１０（Ａ）は、１Ｐベンチ部材２４の左右両側部にアーム部材３ａ、３ｂを連結した状態、（Ｂ）は、右側部に右アーム部材３ｂを連結した状態、（Ｃ）は、左側部に左アーム部材３ａを連結した状態、（Ｄ）は、アーム部材を連結しない状態をそれぞれ示す。
【００３９】
本実施形態においては、アーム部材３が３Ｐベンチ部材２１、２．５Ｐベンチ部材２２、２Ｐベンチ部材２３、１Ｐベンチ部材２４に対して着脱自在に連結可能となっていることから、図７〜図１０における（Ａ）〜（Ｄ）で示すように、３Ｐベンチ部材２１、２．５Ｐベンチ部材２２、２Ｐベンチ部材２３、１Ｐベンチ部材２４の形態変化を行うことができる。
【００４０】
図１１は、カウチ部材２５に対してアーム部材３を連結する態様を示し、（Ａ）はカウチ部材２５の両方の両側部にアーム部材３ａ、３ｂを連結した状態、（Ｂ）は、一方の側部に右アーム部材３ｂを連結した状態、（Ｃ）は、他方の側部に左アーム部材３ａを連結した状態、（Ｄ）は、アーム部材を連結しない状態をそれぞれ示す。このように、カウチ部材２５に対してもアーム部材３の連結態様を変化させることができるため、カウチ部材２５の形態変化を行うことが可能となる。
【００４１】
このような実施形態では、３Ｐベンチ部材２１、２．５Ｐベンチ部材２２、２Ｐベンチ部材２３、１Ｐベンチ部材２４、カウチ部材２５、左右のアーム部材３ａ、３ｂ、コーナー部材２７及びオットマン２８の９パーツに基づいて組み合わせを変更することにより、形態が変化した異なったソファとすることができる。従って、パーツの在庫を最小にした状態で販売し、パーツの組み合わせで異なったソファとして供給することができる。このため、生産量及び物流量を小さくするにもかかわらず、多品種展開が可能となる。
【００４２】
以上の実施形態では、次のような効果を有している。
【００４３】
アーム部材３が３Ｐベンチ部材２１、２．５Ｐベンチ部材２２、２Ｐベンチ部材２３、１Ｐベンチ部材２４及びカウチ部材２５と別体となっているため、３Ｐベンチ部材２１、２．５Ｐベンチ部材２２、２Ｐベンチ部材２３、１Ｐベンチ部材２４、カウチ部材２５、コーナー部材２７の配置変更にアーム部材３が邪魔となることがなく、３Ｐベンチ部材２１、２．５Ｐベンチ部材２２、２Ｐベンチ部材２３、１Ｐベンチ部材２４、カウチ部材２５、コーナー部材の配置変更の後、アーム部材３を取り付けることができる。このため、形態変化の自由度を大きくでき、しかもアーム部材３が邪魔にならないため、室内への搬入が容易となる。
【００４４】
また、連結部材４を３Ｐベンチ部材２１、２．５Ｐベンチ部材２２、２Ｐベンチ部材２３、１Ｐベンチ部材２４及びカウチ部材２５に連結することにより、左右のアーム部材３を取り付けることができる。このため、アーム部材３の取り付け及び取り外しが容易であり、３Ｐベンチ部材２１、２．５Ｐベンチ部材２２、２Ｐベンチ部材２３、１Ｐベンチ部材２４及びカウチ部材２５への組み付けが簡単となる。
【００４５】
また、ベンチ部材が３Ｐベンチ部材２１、２．５Ｐベンチ部材２２、２Ｐベンチ部材２３、１Ｐベンチ部材２４の複数種類を備えているため、形態変化の自由度を大きくすることができる。
【００４６】
また、連結部材４の突出部４ａを３Ｐベンチ部材２１、２．５Ｐベンチ部材２２、２Ｐベンチ部材２３、１Ｐベンチ部材２４及びカウチ部材２５の連結段差部５にねじ止めすることにより、アーム部材３を簡単に取り付けることができる。また、突出部４ａが３Ｐベンチ部材２１、２．５Ｐベンチ部材２２、２Ｐベンチ部材２３、１Ｐベンチ部材２４及びカウチ部材２５の連結段差部５に取り付けられて面一となるため、段状に高くなることがなく、外観が平滑状態となって違和感がない。このため、３Ｐベンチ部材２１、２．５Ｐベンチ部材２２、２Ｐベンチ部材２３、１Ｐベンチ部材２４及びカウチ部材２５との一体感を得ることができる。
【００４７】
また、３Ｐベンチ部材２１、２．５Ｐベンチ部材２２、２Ｐベンチ部材２３、１Ｐベンチ部材２４又はカウチ部材２５の連結段差部５に嵌め込まれるパネル６を有し、このパネル６が連結段差部５に嵌め込まれることにより、３Ｐベンチ部材２１、２．５Ｐベンチ部材２２、２Ｐベンチ部材２３、１Ｐベンチ部材２４及びカウチ部２５材の外観が面一の平滑となり、違和感を生じることがない。
【００４８】
図１２は、ソファー１をコーナーセットとして用いる形態変化例を示す。図１２（Ａ）で示すコーナーセットは、２．５Ｐベンチ部材２２の右側にカウチ部材２５を配置し、２．５Ｐベンチ部材２２の左側部に左アーム部材３を連結し、カウチ部材２５の右側部に右アーム部材３ｂを連結することにより形成することができる。
【００４９】
図１２（Ｂ）で示すコーナーセットは、２．５Ｐベンチ部材２２の右側にコーナー部材２７を配置し、コーナー部材２７の前側にオットマン２８を配置し、２．５Ｐベンチ部材２２の左側部に左アーム部材３ａを連結することにより形成することができる。
【００５０】
図１２（Ｃ）で示すコーナーセットは、コーナー部材２７を挟んで２つの２．５Ｐベンチ部材２２を直交状に配置し、一方の２．５Ｐベンチ部材２２の左側部に左アーム部材３ａを連結することにより形成することができる。
【００５１】
図１２（Ｄ）で示すコーナーセットは、上記（Ｃ）のコーナーセットにおける他方の２．５Ｐベンチ部材２２の右側部に右アーム部材３ｂを連結することにより形成することができる。
【００５２】
図１２（Ｅ）で示すコーナーセットは、コーナー部材２７を挟んで３Ｐベンチ部材２１と、２．５Ｐベンチ部材２２とを直交状に配置し、３Ｐベンチ部材２１の左側部に左アーム部材３ａを連結することにより形成することができる。
【００５３】
図１２（Ｆ）で示すコーナーセットは、２つのコーナー部材２７を横並び状とすると共に、２．５Ｐベンチ部材２２を一方のコーナー部材２７に横並び状に配置し、２．５Ｐベンチ部材２２の左側部に左アーム部材３ａを連結することにより形成することができる。
【００５４】
図１２（Ｇ）で示すコーナーセットは、コーナー部材２７を挟んで２つの２．５Ｐベンチ部材２２を直交状に配置することにより形成することができる。この（Ｇ）では、アーム部材が連結されることがない。
【００５５】
図１２（Ｈ）で示すコーナーセットは、コーナー部材２７を挟んで３Ｐベンチ部材２１及び２．５Ｐベンチ部材２２を直交状に配置し、３Ｐベンチ部材２１の左側部に左アーム部材３ａを連結し、２Ｐベンチ部材２３の右側部に右アーム部材３ｂを連結することにより形成することができる。
【００５６】
図１２（Ｉ）で示すコーナーセットは、コーナー部材２７を挟んで３Ｐベンチ部材２１及び２．５Ｐベンチ部材２２を直交状に配置し、３Ｐベンチ部材２１の左側部に左アーム部材３ａを連結する一方、２．５Ｐベンチ部材２２の左側部にオットマン２８を配置することにより形成することができる。
【００５７】
以上のように、コーナーセットに対する形態変化も簡単に行うことができると共に、多種の形態変化が可能となる。
【００５８】
図１３〜図１５は、ライフスタイルに応じたソファーの形態変化例をそれぞれ示す。
【００５９】
図１３（Ａ）は、独身用のソファーの使用形態であり、２Ｐベンチ部材２３の左右両側部に左右アーム部材３ａ、３ｂが連結されてソファー１として用いられる。図１３（Ｂ）は、夫婦用のソファーの使用形態であり、カウチ部材２５を購入し、（Ａ）の２Ｐベンチ部材２３の一側にカウチ部材２５を配置し、カウチ部材２５の右側部に右アーム部材３ｂを連結することによりソファー１として用いられる。この場合には、（Ａ）のソファー１に対し、一つのカウチ部材２５を購入するだけで形態変化させることができる。（Ｃ）は、家族用のソファーの使用形態であり、コーナー部材２７及びオットマン２８を購入し、（Ｂ）の２Ｐベンチ部材２３の一側にコーナー部材２７を配置し、コーナー部材２７の前側にオットマン２８を配置する一方、カウチ部材２５をこれらと分離して対向配置することによりソファー１として用いることができる。この場合には、（Ｂ）のソファー１に対し、コーナー部材２７及びオットマン２８を購入するだけで形態変化させることができる。
【００６０】
図１４（Ａ）は、独身用のソファーの使用形態であり、２Ｐベンチ部材２３にオットマン２８を組み付け、２Ｐベンチ部材２３の左側部に左アーム部材３ａを連結することによりソファー１として用いられる。図１４（Ｂ）は、夫婦用のソファーの使用形態であり、コーナー部材２７を購入し、２Ｐベンチ部材２３とオットマン２８との間にコーナー部材２７を配置することによりソファー１として用いられる。この場合には、（Ａ）のソファー１に対し、一つのコーナー部材２７を購入するだけで形態変化させることができる。図１４（Ｃ）は、家族用のソファーの使用形態であり、２．５Ｐベンチ部材２２を購入し、（Ｂ）のコーナー部材２７とオットマン２８との間に２．５Ｐベンチ部材２２を配置することによりソファー１として用いることができる。この場合には、（Ｂ）のソファー１に対し、２．５Ｐベンチ部材２２を購入するだけで形態変化させることができる。
【００６１】
図１５（Ａ）は、独身用のソファーの使用形態であり、２．５Ｐベンチ部材２２の右側部に右アーム部材３ｂが連結されてソファー１として用いられる。図１５（Ｂ）は、夫婦用のソファーの使用形態であり、左アーム部材３ａを購入し、（Ａ）の２．５Ｐベンチ部材２２の左側部に左アーム部材３ａを連結することによりソファー１として用いられる。この場合には、（Ａ）のソファー１に対し、一つの左アーム部材３ａを購入するだけで形態変化させることができる。（Ｃ）は、家族用のソファーの使用形態であり、コーナー部材２７及び２．５Ｐベンチ部材２２を購入し、コーナー部材２７を挟んで２つの２．５Ｐベンチ部材２２を直交状に配置し、他方の２．５Ｐベンチ部材２２の右側部に右アーム部材３ｂを連結することによりソファー１として用いることができる。この場合には、（Ｂ）のソファー１に対し、コーナー部材２７及び２．５Ｐベンチ部材２２を購入することにより形態変化させることができる。
【００６２】
図１３〜図１５に示すように、ライフスタイルに合わせたソファの形態変化を簡単に行うことができる。従って、ライフスタイルに合わせて必要なパーツを買い足すだけで拡張／カスタマイズが可能となり、余計な粗大ゴミを出すことなく、経済的で長期間使用でき、環境にも配慮することができる。
【００６３】
本発明は、以上の実施形態に限定されることなく、種々変形が可能である。例えば、３Ｐベンチ部材２１、２．５Ｐベンチ部材２２、２Ｐベンチ部材２３、１Ｐベンチ部材２４以外のベンチ部材に対しても同様に適用することができる。
【００６４】
また、上記実施形態では、連結部材４の突出部４ａを連結段差部５にねじ止め固定した例を示したが、ねじ止め固定に限らず他の固定方法でも良い。例えば、はめ込み式にしたり、あるいは突出部４ａ又は連結段差部５に引掛固定片を埋め込んでおき、この引掛固定片に突出部４ａを引っ掛けることにより固定しても良い。
【００６５】
さらに、上記実施形態では、アーム部材３は直方体形状とした例を示したが、この形状は直方体形状以外に、丸形、楕円形等、デザイン上考え得る形状でもよい。
【００６６】
また、上記実施形態では、アーム部材３や、ベンチ部材２のカバーについての説明は特にしていないが、多種類のカバーをアーム部材３や、ベンチ部材２に用いることにより、種々の形態を変化させることができることに加えて、ソファーの見た目も変化させることができる。
【符号の説明】
【００６７】
１  ソファー
２  ベンチ部材
２ａ  シート部
２ｂ  背もたれ部
３  アーム部材
３ａ  左アーム部材
３ｂ  右アーム部材
３ｃ  脚部
３ｍ  アーム本体
４  連結部材
４ａ  突出部
５  連結段差部
６  パネル
２１  ３Ｐベンチ部材  
２２  ２．５Ｐベンチ部材  
２３  ２Ｐベンチ部材
２４  １Ｐベンチ部材
２５  カウチ部材
２５ａ  カウチシート部
２５ｂ  カウチ背もたれ部
２７  コーナー部材
２７ａ  コーナーシート部
２７ｂ  コーナー背もたれ部  
【図１】
2010233943.tif 000003
【図２】
2010233943.tif 000004
【図３】
2010233943.tif 000005
【図４】
2010233943.tif 000006
【図５】
2010233943.tif 000007
【図６】
2010233943.tif 000008
【図７】
2010233943.tif 000009
【図８】
2010233943.tif 000010
【図９】
2010233943.tif 000011
【図１０】
2010233943.tif 000012
【図１１】
2010233943.tif 000013
【図１２】
2010233943.tif 000014
【図１３】
2010233943.tif 000015
【図１４】
2010233943.tif 000016
【図１５】
2010233943.tif 000017